(57)【要約】【目的】  雨水桝などのような通孔を有するコンクリート成型品を成型する際、その通孔を形成するためのピンを型枠にまとめてセットできるようにしたためピンの先端に隙間を生じるものがでて、成型の際にその隙間にトロが回り込んでトロ塊となっていた。このことから、型枠へのピンのセットを簡単且つ容易にできると共に、トロ塊の形成も阻止できるコンクリート型枠を提供することを目的とする。【解決手段】  ピン３に、一方がピン３内に挿入固定され他方がピン３から突出させてコイルバネ４を設けると共に、外枠１に、ピン３から突出するコイルバネ４を挿入でき、且つコイルバネ４にピン３を外枠１の内面１ａ方向に引き寄せる付勢力を持たせた状態でを固定できる筒体５を設け、また、ピン３を、外枠１と内枠２がセットされた際にピン３の先端部３ａが内枠２の内面２ａと密接できるように構成する。【選択図】  図１
2005170024.tif 000002
【特許請求の範囲】
【請求項１】
少なくとも外枠と、この外枠から所定の間隔を開けて設けられた内枠とからなるコンクリート成型の型枠であって、外枠の内面には弾性素材または弾発素材から成るピンが設けられ、そのピンは先端を内枠方向に向け且つ基部が付勢手段によって外枠側に引き寄せられた状態で立設されており、外枠と内枠がセットされた際、ピンの先端部が内枠にまたピンの基部が外枠と密接することを特徴とするコンクリート型枠
【請求項２】
前記ピンの付勢手段がコイルバネであると共に、コイルバネはその一方をピンの基部から突出させてピンに設けられており、また、外枠にはコイルバネを収容できる筒体が、その開口を外枠内面に望ませまたは外枠に形成されたコイルバネが通過できる通孔に合せて設けられていることを特徴とする請求項１のコンクリート型枠
【請求項３】
前記コイルバネのピン側は、ピン内部の奥まで挿入して設けられていることを特徴とする請求項２のコンクリート型枠
【請求項４】
前記筒体の外枠側開口の少なくとも下方部が切り欠かれていることを特徴とする請求項２のコンクリート型枠
【請求項５】
前記筒体の外枠側開口に近接する少なくとも周壁の下方部に通孔が形成されていることを特徴とする請求項２のコンクリート型枠
【請求項６】
前記ピンの先端部および基部が弾性素材または弾発素材で形成されていることを特徴とする請求項１のコンクリート型枠
【請求項７】
前記型枠の少なくとも外枠がいくつかに分割されていると共に、それぞれの外枠はその下方部が直接的にまたは間接的に所定の部材に接続されており、且つその接続部を支点にしてそれぞれの外枠が外方に開くようになっていることを特徴とする請求項１のコンクリート型枠
【請求項８】
前記ピンに弾発体または弾性体が連結され、且つその弾発体または弾性体はピンの基部から突出されて設けられており、また、外枠には弾発体または弾性体が通過できる通孔が設けられると共に、その通孔からに出た弾発体または弾性体に付勢力を持たせてその任意の部位を係止できる係止手段が設けられていることを特徴とする請求項１のコンクリート型枠
【請求項９】
前記弾発体または弾性体がピン内部の奥でピンと接続されていることを特徴とする請求項８のコンクリート型枠
【請求項１０】
前記係止手段が少なくとも筒体からなり、その筒体の開口が外枠に形成された弾発体または弾性体が通過できる通孔と任意の距離を開けて位置することを特徴とする請求項８のコンクリート型枠
【請求項１１】
前記外枠に形成された弾発体または弾性体が通過できる通孔が、その弾発体または弾性体の最大径よりはるかに大きなものであることを特徴とする請求項８のコンクリート型枠
【請求項１２】
前記弾発体がコイルバネであり、また、前記弾性体がゴム紐であることを特徴とする請求項８のコンクリート型枠
【請求項１３】
前記ピンに紐体が連結され、且つその紐体はピンの基部から突出されて設けられており、また、外枠には紐体が通過できる通孔が設けられると共に、その通孔からに出た紐体を引く任意の引張り手段が設けられていることを特徴とする請求項１のコンクリート型枠
【請求項１４】
前記紐体がピン内部の奥でピンと接続されていることを特徴とする請求項１３のコンクリート型枠
【請求項１５】
前記引張り手段が、少なくとも弾発体または弾性体を内装する筒体からなり、その筒体の開口が外枠に形成された紐体が通過できる通孔と任意の距離を開けて位置することを特徴とする請求項１３のコンクリート型枠
【請求項１６】
前記弾発体がコイルバネであり、また、前記弾性体がゴム紐であることを特徴とする請求項１３のコンクリート型枠
【請求項１７】
前記外枠に形成された紐体が通過できる通孔が、その紐体の最大径よりはるかに大きなものであることを特徴とする請求項１３のコンクリート型枠
【請求項１８】
前記紐体がワイヤロープまたはコイルバネまたはゴム紐であることを特徴とする請求項１３のコンクリート型枠
【請求項１９】
前記ピンの先端部および基部が弾性素材または弾発素材で形成されていることを特徴とする請求項８または請求項１３のコンクリート型枠
【請求項２０】
前記型枠の少なくとも外枠がいくつかに分割されていると共に、それぞれの外枠はその下方部が直接的にまたは間接的に所定の部材に接続されており、且つその接続部を支点にしてそれぞれの外枠が外方に開くようになっていることを特徴とする請求項８または請求項１３のコンクリート型枠
【発明の詳細な説明】
【技術分野】
【０００１】
本発明は、コンクリート型枠に関し、特にコンクリート成型品の壁面に通孔が形成されるようになっているコンクリート型枠に関するものである。
【背景技術】
【０００２】
従来、コンクリート製品を成型する型枠は、少なくとも外枠と内枠とから構成されており、その外枠と内枠との間に生コンクリートを流し入れて固化させ、所定の形状に成型するものである。
そのようなコンクリート型枠には、雨水桝などのように、桝を形成するコンクリートの壁面に雨水を地中に逃がすための通孔が多数形成されているものもあって、それを成型する型枠は、生コンクリートを流し入れる外枠と内枠の間にその外枠の外方からピンが挿入され、流し入れられた生コンクリートが固化した後そのピンの部分が通孔として形成されるようになっている。
【発明の開示】
【発明が解決しようとする課題】
【０００３】
従来、通孔を成型するピンは１本づつ外枠内に取り付けられていたが、通孔は製品の大きさによっては相当な数となるので、ピンの外枠内へのセットを簡単に行うために、数本のピンを一度にまとめてセットできるような構造としている。
それは、図１０に示すように、外枠１２にはピン１４を挿入するための通孔１５が設けられて、また、ピン１４は外枠１２に軸支された回動アーム１６の先端に備えるピン立設部材１７に数本が固定されて、その回動アーム１６を回転させることによって多数のピン１４が通孔１５から一度に型枠内に挿入できるようになっている。そして、型枠の組み立てにも手間と時間が掛かっている。
【０００４】
しかし、形成された通孔には、成型時のトロの回り込みによってトロ塊が形成されていた。すなわち、ピンをまとめてセットできるようにしたことから、ピンの先端部と内枠との間に隙間が生ずるピンがあり、この隙間から生コンクリートが進入してそれが固化してトロ塊になっているのである。そして、このトロ塊は完成した製品から除去しなければならないため、製品完成後も余計な手間と時間が掛かってしまう極めて作業効率の劣るものであった。
従って、本発明は上述した問題点に鑑みてなされたものであり、ピンを簡単且つ容易にセットできると共に、トロ塊の形成も阻止できるコンクリート型枠を提供することを目的とするものである。
【課題を解決するための手段】
【０００５】
本発明の要旨とするところは、少なくとも外枠と、この外枠から所定の間隔を開けて設けられた内枠とからなるコンクリート成型の型枠であって、外枠の内面には弾性素材または弾発素材から成るピンが設けられ、そのピンは先端を内枠方向に向け且つ基部が付勢手段によって外枠側に引き寄せられた状態で立設されており、外枠と内枠がセットされた際、ピンの先端部が内枠にまたピンの基部が外枠と密接することを特徴とするコンクリート型枠である。
【０００６】
本発明を更に詳しく説明すると、本発明に係るコンクリート成型の型枠は、コンクリートの壁面に通孔が形成されている製品を成型する際に用いるものである。
その型枠は、外枠とこの外枠から所定の間隔を開けて設けられた内枠とから構成される。また、成型するコンクリート製品によっては、外枠と内枠を置くための基台が設けられている。型枠は、一般的には金属や木材などの素材から形成されている。
勿論、その枠体は成型されたコンクリート製品を取り出し易いような形態、例えば、いくつかに分割できるようになっている。
【０００７】
そして、外枠の内面に先端を内枠方向に向けて設けている弾性素材または弾発素材から成るピンは、成型後にコンクリートの壁に形成される通孔を成型（形成）するためのものである。また、ピンの素材に適当なものとしてはポリマー樹脂が上げられる。ピンの形状も特に限定するものではなく、脱型に有利な形状、例えば、先細のテーパー状にしてもよい。また、ピンの基部を外枠側に引き寄せるための付勢手段も特に限定するものではないが、具体的なものとしては、バネ等の弾発体やゴム等の弾性体を用いてもよい。ピン基部とは、ピンの外枠側に近い部位を指しており、少なくとも、ピンの基端面、ピン基端面の周縁（周面との境界部分）である。
【０００８】
バネ、例えばコイルバネを用いた付勢形態は、コイルバネの一方をピンの基部から突出させた状態でピンの基部に取り付け、また、外枠にピンの基部から突出するコイルバネを収容できる筒体をその開口を外枠の内面に望ませまたは外枠に形成されたコイルバネが通過できる通孔に合せて設けて、ピンから突出するコイルバネを筒体内に収容する。そして、収容の際にコイルバネにピンを外枠側に引き寄せるための付勢力が付くように収容する。例えば、適当な方法によってコイルバネの外方端部を引っ張り、コイルバネに付勢力を与えた状態でコイルバネの所定の部位を筒体に固定するようにしてもよい。
そして、外枠に取り付けられた筒体の外枠側開口の少なくとも下方部を切り欠くのがよい。その切り欠きはなるべく大きく切り欠くのが望ましい。あるいは、筒体の外枠側開口に近接する周壁の少なくとも下方部に通孔を形成してもよく、その場合は、なるべく大きな通孔とするのがよい。勿論、切り欠きは開口の上方部から、また、通孔は周壁の上方部から設けてもよい。
【０００９】
また、コイルバネのピン側は、ピン内部の奥まで挿入して設けてもよい。コイルバネの素材、また、バネ圧も適当に選定すればよい。
筒体の本体は、外枠の外方に直線的に延ばして設けたり、あるいは、適当な方向に曲線的に曲げて設けてもよい。筒体と外枠の固定方法も特に限定するものではなく、溶接等によって取り付ければよい。
【００１０】
そして、ピン側のコイルバネの端は、ピンから抜けないように適当な手段によって止めておくのがよい。例えば、固定部材や接着によってピンに固定したり、ピンに埋設したり、ピンに圧入したり、さらには、ピンにネジ込んでもよい。
また、ピンから突出する方のコイルバネは、筒体に着脱自在に挿着できるようにしておくのがよい。例えば、筒体の外方から筒体とコイルバネを貫通する抜止ピンを挿入したり、外枠外方に望む筒体の開口からコイルバネが突出するようにバネ長または筒体長を設定し、その飛び出ている部分のバネに適宜の部材を係着して筒体に固定してもよい。勿論、ピンを外枠側に引き寄せる付勢力が付くようにする。また、ピンとコイルバネ、コイルバネと筒体とは、その互いを固定する固定手段を取り外すことによって分離されるようにしてもよい。
【００１１】
そして、外枠と内枠がセットされた際は、ピンの先端部が内枠にまたピンの基部が外枠と密接するようにする。勿論、ピンが外枠にセットされた時ピンの基部が外枠と密接するように引き寄せるようにしてもよい。ピンの先端部とは、ピンの内枠側に近い部位を指しており、少なくとも、ピンの先端面、ピン先端面の周縁（周面との境界部分）である。密接とは、少なくともピンの先端面の周縁部分が隙間なく内枠に接触していることであり、また、その接触がピン先端部が圧接している状態も含む。
そして、ピンの先端部が内枠にまたピンの基部が外枠と密接するようにするためには、ピンの全部または先端部および基部を弾性素材または弾発素材で形成すると共に、ピンの長さを外枠と内枠の隙間の寸法より僅かに長くするのがよい。すなわち、ピンが外枠と内枠の間に位置した時にピンが僅かに縮変することにより、ピンの先端部が内枠にまたピンの基部が外枠と密接するようになる。ピンの素材に適当なものとしてはポリマー樹脂が上げられる。
【００１２】
また、ピンの基部を外枠側に引き寄せるための他の形態としては、ピンにコイルバネ等の弾発体やゴム紐等の弾性体を接続して、その弾発体または弾性体を外枠に形成する通孔から外部に引き出す共に、外枠の外壁等に設けているフック等の係止手段に付勢力が発生するように係止させてもよい。外枠に形成する通孔は、弾発体または弾性体が接触しない径であればよいが、弾発体または弾性体の最大径よりはるかに大きな径としてもよい。
そして、弾発体または弾性体に付勢力を発生させる方法も特に限定するものではなく、例えば、付勢力のない状態の弾発体または弾性体の任意の部位（自由端等）を進退移動可能なフック等に引掛け、そのフックを適宜に移動させて弾発体または弾性体に付勢力を発生させるようにしてもよい。
【００１３】
弾発体または弾性体のピンとの接続部は、ピンの基部であってもまたピン内部の奥まで挿入して接続してもよい。弾発体または弾性体の素材、また、弾発力または弾性力も適当に選定すればよい。
弾発体または弾性体は、その全部または一部を任意の形状の収容体に収容するようにしてもよい。具体的には、コイルバネ等の弾発体やゴム紐等の弾性体を収容できる容器体の開口を、外枠に形成した通孔に略対向させ、且つその通孔と任意の距離を開けて（なるべく離す）位置させるのがよい。そして、収容の際または収容の後で弾発体または弾性体にピンを外枠側に引き寄せるための付勢力が付くようにする。また、容器体の形態も特に限定するものではなく、弾発体または弾性体が安全に収容できればどのような形態のものでもよい。容器体も何でもよく、例えば筒体でもよい。筒体は両側が開口されるものでもよいが、付勢力を発生させるための操作形態によっては、一方が開口するものであってもよい。
【００１４】
さらに、ピンの基部を外枠側に引き寄せるための他の形態としては、ピンに紐体を接続して、その紐体を外枠に形成する通孔から外部に引き出す共に、外枠の外壁等に紐体を引く任意の引張り手段を設けるようにしてもよい。外枠に形成する通孔は、紐体が接触しない径であればよいが、紐体の最大径よりはるかに大きな径としてもよい。
紐体も、切断することなくピンを引張れるものであれば素材等も限定するものではなく何でもよい。例えば、ワイヤロープ等であってもよく、また、前述するコイルバネ等の段発体やゴム紐等の弾性体でもよい。
【００１５】
紐体のコイルバネとの接続部は、ピンの基部であってもまたピン内部の奥まで挿入して接続してもよい。
そして、紐体を引く方法も特に限定するものではなく、バネ等の弾発体やゴム等の弾性体を用いてもよい。具体的には、外枠に、ピンの基部を外枠側に引き寄せる方向に弾発するコイルバネを収容した容器体を設けて、紐体を外枠に形成する通孔から外部に引き出す共に、容器体内のコイルバネに接続されたフック等に引掛け、コイルバネの弾発によって紐体を引くようにしてもよい。
ゴム紐の場合は、外枠に、ピンの基部を外枠側に引き寄せる方向に動くゴム紐を収容した容器体を設けて、紐体を外枠に形成する通孔から外部に引き出す共に、容器体内のゴム紐に接続されたフック等に引掛け、ゴム紐の弾性によって紐体を引くようにしてもよい。紐体とコイルバネまたはゴム紐との接続は、フック等を介すことなく直接に接続してもよい。
【００１６】
その容器体の開口は外枠に形成した通孔と任意の距離を開けて（なるべく離す）位置させるのがよい。また、容器体の形態も特に限定するものではなく、コイルバネが安全に収容できればどのような形態のものでもよい。容器体も何でもよく、例えば筒体でもよい。筒体は両側が開口されるものでもよいが、紐体を引き寄せるための操作形態によっては、一方が開口するものであってもよい。
【００１７】
コンクリート型枠は、外枠および／または内枠がいくつかに分割できるような一般的な形態であってもよいが、その型枠の少なくとも外枠をいくつかに分割すると共に、そのそれぞれの外枠の下方部を所定の部材、例えば、内枠また基台あるいは底部となり得る他の部材に直接的にまたは間接的に接続して、その接続部を支点にしてそれぞれの外枠が外方に開くようにしてもよい。
【００１８】
そして、コンクリート型枠をこの形態にする場合は、弾発体や弾性体によってピンを付勢させたものに適する。また、この方法によって型枠を分解する場合、特に角形の製品を成型するものが適しているが、円形の製品を成型する型枠に用いる時は、型枠の分割数を多くすることで用いることが可能となる。
直接的とは、外枠と所定の部材とが接続用の別部材を介さないで接続できるようになっていることである。例えば、それらの接続部の形状によって係合や係着また嵌着などができるようにする。間接的とは、外枠と所定の部材とが接続用の別部材によって接続されることである。例えば、蝶番などによる接続である。
【００１９】
従って、ピンはその基部から突出する弾発体または弾性体あるいは紐体によって外枠側に引き寄せられた状態で外枠内面に立設されて外枠にセットされる。次に、外枠と内枠とがセットされると、ピンが有する弾性によってピンの長さが縮まり、ピンの先端部が内枠にまた基部が外枠と密接し、生コンクリート注入の際のコンクリート流入圧によるピン先端またピン基部の浮きが阻止される。
また、ピンを引き寄せる弾発体または弾性体あるいは紐体は直線または曲線使用が可能、すなわち、任意の方向に曲がるものでことから、外枠に設けられる弾発体または弾性体あるいは紐体を係着するための部材の外枠への取付角度等も自由に設定可能となる。
さらには、その任意の方向に曲がる弾発体または弾性体あるいは紐体の特徴から完成品の外枠からの脱型、すなわち、外枠を製品から取り外す際もピンによって外枠の取り外すための動きが束縛されることがないので外枠を容易に取り外すことができる。
そして、ピンの経年劣化によってピン基部の外枠内面との密着性が低下し、ピン基部と外枠内面との間に生コンクリートが浸入した際、外枠に形成された弾発体／弾性体／紐体が通過する通孔からその浸入した生コンクリートは外枠の外側に排出される。且つ、その排出の確認によってピンの交換時期を察知することができる。
【発明の効果】
【００２０】
本発明のコンクリート型枠は以上のように構成されているので、ピンの外枠へのセットを簡単且つ容易に行うことができ、型枠を短時間で組み立てることができる。また、従来のようなピンを保持する回動部材も必要ないので、コンクリート型枠を軽量にすることができる。さらに、ピンの交換も簡単にできるので、大小のピンを使い分けることによって同一のコンクリート型枠で通孔の異なる製品を容易に製造することができる。
また、ピンは、その先端部が内枠にまた基部が外枠に常に密接しているので、生コンクリートが流し入れられた際にも生コンクリートの流力によってピン自体が動かされることもなく、そして、固化に至るまで先端部が内枠にまた基部が外枠と接触した状態を保つためトロが回り込むことがないので、トロ塊が形成されることもなく製品も綺麗に仕上がる。
従って、生コンクリートが固化して外枠と内枠を外した時には、完成したコンクリート成型品が得られる。すなわち、従来のように完成した製品からトロ塊を除去することがないので、作業効率が各段に向上するものである。
【００２１】
また、ピンは任意の方向に曲がる弾発体または弾性体あるいは紐体によって支持されているので、完成した製品を外枠から脱型する際、すなわち、外枠を製品から取り外す際もピンによって外枠の取り外すための動きが束縛されることがなく外枠を容易に取り外すことができる。
さらに、コンクリート成型品に形成する通孔の位置によってピンの外枠へのセット位置を外枠の合せ部に接近させなければならない時でも、弾発体または弾性体あるいは紐体が任意の方向に曲がるので、筒体の外枠への取付角度が自由になり、筒体の取り付け場所を選ばない。
さらには、弾発体または弾性体あるいは紐体が任意の方向に曲がることから、分割した外枠の下方部を所定の部材に蝶番などで回動自在に取り付けておくことにより、固化した製品を取り出す際、外枠にピンを取り付けたまま且つ蝶番を支点に外枠を外方に開くことによってその製品を外枠から取り外すことができ、コンクリート型枠の取扱性が向上する。
【００２２】
そして、ピンの経年劣化によってピン基部の外枠内面との密着性が低下してピン基部と外枠内面との間に生コンクリートが浸入した場合でも、外枠に形成された弾発体／弾性体／紐体が通過する通孔からその浸入した生コンクリートが外枠の外側に排出されるので、浸入した生コンクリートによってピンの弾発体／弾性体／紐体を収容する収容スペースが埋まってしまうことがない。
また、弾発体／弾性体／紐体を付勢状態に係止するための部材を収容する収容体も、浸入した生コンクリートを排出できるように、または、外枠から離されて設けられているので、その収容体が埋まってしまうことがない。
さらには、生コンクリートの外枠外への漏れの確認によってピンの寿命を知ることができるので、ピンを無駄なく使い切ることができる。
【発明を実施するための最良の形態】
【００２３】
本発明のコンクリート型枠を以下図面に従って説明すると、図１は、ピンのセット形態を示す断面図であり、１はコンクリート型枠の外枠、１ａは外枠１の内面、１ｅはコイルバネ４が通過する通孔、２はコンクリート型枠の内枠、２ａは内枠２の内面である。
３はピンで、コンクリート成型品に形成される通孔７ａを成型するためのものである。３ａはピン３の先端部、３ｂはピン３の基部、３ｃは固定具で、ピン３とコイルバネ４を止めるためのものである。４はコイルバネで、ピン３を外枠１の内面１ａ方向に引き寄せるためのものである。５はコイルバネ４を収容するための筒体、６はコイルバネ４と筒体５を止めるための抜止である。
【００２４】
図２は、コンクリート型枠の斜視図であり、１はコンクリート型枠の外枠、１ｂは隣り合うそれぞれの外枠１を開閉可能に連結する連結杆、１ｃは合せ部で、外枠１はこの部分で分割される。１ｄは固定具である。２はコンクリート型枠の内枠、２ｂは内枠２の固定具である。
４はコイルバネ、５はコイルバネ４を収容するための筒体、６はコイルバネ４と筒体５を止めるための抜止である。
【００２５】
図３は、コンクリート型枠の平面図である。本図は、ピン３の付勢にコイルバネ４を用いたことによる長所を見て取れる。Aの筒体５は、その中心線の方向とピン３の中心線の方向が同一であるのに対し、Ｂの筒体５は、その中心線の方向とピン３の中心線の方向が同一でない。
すなわち、コンクリート成型品に形成する通孔７ａの位置によってピン３の外枠１へのセット位置を外枠１の合せ部１ｃに接近させなければならない時もあるが、コイルバネ４の特徴として直線または曲線使用が可能であることから、筒体５の外枠１への取付角度を自由に設定することができる。
【００２６】
図４は、コンクリート成型品の一例を示す斜視図である。本図は円形のコンクリート成型品であるが、コンクリート型枠によって、四角などの角形の桝、円筒形の桝、Ｕ字溝なども成型することができる。
７はコンクリート型枠によって成型されたコンクリート成型品、７ａはコンクリート成型品７に形成された通孔である。
【００２７】
図５は、他の形態のコンクリート型枠の斜視図であり、本図のコンクリート型枠は、４分割した外枠８のそれぞれの下端を底部８ａに蝶番１１で連結したものであり、それぞれの外枠８は、蝶番１１を支点に外方（矢印の方向）に開くようにしたものである。９は内枠、１０はコンクリート成型品に形成する通孔を成型するためのピンである。
【００２８】
図６は、他のピンのセット形態を示す断面図であり、本図は、筒体５の外枠１側の開口の下方部位に切り欠き５１を設けたものである。また、図１のものに比べてピン３のコイルバネ４の収容スペース径と共に、筒体５のコイルバネ４の収容スペース径、さらに、外枠１のコイルバネ４が通過する通孔１ｅの径を広げているものである。
従って、ピン３の劣化等によって生コンクリートがピン３と外枠１の内面１ａ  の間に浸入した場合は、その浸入した生コンクリートは筒体５の切り欠き５１から外枠１の外部に排出（矢印）されるようになっている。
【００２９】
図７は、他のピンのセット形態を示す断面図であり、本図は、ピン３に接続さするコイルバネ４を収容するための筒体５の外枠１側の開口５ａを、外枠１のコイルバネ４が通過する通孔１ｅと離して筒体５を設けているものである。５２は筒体５の台座である。
従って、ピン３の劣化等によって生コンクリートがピン３と外枠１の内面１ａ  の間に浸入した場合は、その浸入した生コンクリートは台座５２によって外枠１と筒体５の間に生ずる空間５４から外枠１の外部に排出（矢印）されるようになっている。
【００３０】
図８は、他のピンのセット形態を示す断面図であり、本図は、ピン３にワイヤロープ４ａを接続すると共に、そのワイヤロープ４ａを筒体５に内装するコイルバネ５３で外枠１の外方に押してピン３を外枠１側に引き寄せている。また、筒体５の外枠１側の開口５ａを、外枠１のワイヤロープ４ａが通過する通孔１ｅと離して筒体５を設けているものである。５２は筒体５の台座である。
従って、ピン３の劣化等によって生コンクリートがピン３と外枠１の内面１ａ  の間に浸入した場合は、その浸入した生コンクリートは台座５２によって外枠１と筒体５の間に生ずる空間５４から外枠１の外部に排出（矢印）されるようになっている。
図９は、図８のセット形態の平面図である。
【図面の簡単な説明】
【００３１】
【図１】ピンのセット形態を示す断面図
【図２】コンクリート型枠の斜視図
【図３】コンクリート型枠の平面図
【図４】コンクリート成型品の一例を示す斜視図
【図５】他の形態のコンクリート型枠の斜視図
【図６】他のピンのセット形態を示す断面図
【図７】他のピンのセット形態を示す断面図
【図８】他のピンのセット形態を示す断面図
【図９】図８のセット形態の平面図
【図１０】従来のコンクリート型枠の斜視図
【符号の説明】
【００３２】
１−外枠，１ａ−内面，１ｂ−連結杆，１ｃ−合せ部，１ｄ−固定具，１ｅ−通孔，２−内枠，２ａ−内面，２ｂ−固定具，３−ピン，３ａ−先端部，３ｂ−基部，３ｃ−固定具，４−コイルバネ，４ａ−ワイヤロープ，５−筒体，５ａ−開口，５１−切り欠き，５２−台座，５３−コイルバネ，５４−空間，６−抜止，６ａ−係止具，７−コンクリート成型品，７ａ−通孔，８−外枠，８ａ−底部，９−内枠，１０−ピン，１１−蝶番，１２−外枠，１３−内枠，１３ａ−固定具，１４−ピン，１５−通孔，１６−回動アーム，１７−ピン立設部材
【図１】
2005170024.tif 000003
【図２】
2005170024.tif 000004
【図３】
2005170024.tif 000005
【図４】
2005170024.tif 000006
【図５】
2005170024.tif 000007
【図６】
2005170024.tif 000008
【図７】
2005170024.tif 000009
【図８】
2005170024.tif 000010
【図９】
2005170024.tif 000011
【図１０】
2005170024.tif 000012